(57)【要約】【課題】燃料ガスボンベとの衝突音を抑制できる高圧ホース接続具を提供する。【解決手段】高圧ホースの端部に設けた接続口体を燃料ガスボンベの燃料ガス導出口に接続する高圧ホース接続具１である。燃料ガスボンベの燃料ガス導出口に設けた雌ねじ部に螺着可能な螺着部材７を高圧ホースの接続口体の外周に回動自在に取付ける。ハンドル部材８を螺着部材７と一体的に回動可能になるように取付ける。螺着部材７は、燃料ガスボンベの雌ねじ部に螺着する雄ねじ部９を備える。さらに、螺着部材７にハンドル部材８と嵌着する嵌着部10を備える。ハンドル部材８は、ゴムによって形成する。最も燃料ガスボンベと衝突し易いハンドル部材８がゴムにて形成されることにより、ゴムの消音作用で、衝突音を抑制できる。【選択図】図１
2009074612.tif 000002
【特許請求の範囲】
【請求項１】
高圧ホースの端部に設けられた接続口体を燃料ガスボンベの燃料ガス導出口に接続する高圧ホース接続具であって、
前記高圧ホースの接続口体の外周に回動自在に取付けられて前記燃料ガスボンベのガス導出口に設けられた雌ねじ部に螺着可能な螺着部材と、この螺着部材と一体的に回動可能に取付けられたハンドル部材とを具備し、
前記螺着部材は、前記燃料ガスボンベの雌ねじ部に螺着される雄ねじ部と、前記ハンドル部材が嵌着される嵌着部とを有し、
前記ハンドル部材は、ゴムによって形成された
ことを特徴とする高圧ホース接続具。
【請求項２】
螺着部材の嵌着部は、断面の外周が略六角形状に形成された
ことを特徴とする請求項１記載の高圧ホース接続具。
【発明の詳細な説明】
【技術分野】
【０００１】
本発明は、高圧ホースを燃料ガスボンベに接続する高圧ホース接続具に関する。
【背景技術】
【０００２】
例えば液化石油ガスや天然ガス等の燃料が充填された燃料ガスボンベは、高圧ホース接続具によって前記燃料ガスボンベの燃料ガス導出口に高圧ホースの接続口体が接続され、例えば集合管や圧力調整器、供給管等を介して家庭用ガス燃焼機器等に燃料ガスを供給する。
【０００３】
前記燃料ガスボンベと高圧ホースとを接続する従来の高圧ホース接続具は、前記燃料ガスボンベに接続される雄ねじ部および断面形状が円形状の嵌着部を有する螺着部材と、金属製のハンドル部材とを具備している。
【０００４】
また、前記螺着部材と前記ハンドル部材とは、一体的に回動可能に嵌着され、ハンドル部材を回動させて、前記螺着部材を回動することにより、燃料ガスボンベの導出口に設けられた雌ねじ部と前記螺着部材とを着脱し、燃料ガスボンベと高圧ホースとを着脱する。
【０００５】
そして、ハンドル部材にこのハンドル部材の外側面から突出したハンドル部を設けて前記ハンドル部材を回動し易くし、高圧ホース接続具の螺着部材を燃料ガスボンベ螺合部に螺着させ易くしたものが知られている。前記ハンドル部は、前記螺着部材を螺着させる方向へ前記ハンドル部材を回動する際に回転力を受ける側の側縁が回転の中心を通る半径方向の直線に位置する形状に形成されている。
【０００６】
このような形状の前記ハンドル部材は、前記高圧ホース接続具の前記ハンドル部材を回動させて前記螺着部材を螺着する際に、前記ハンドル部材を回動する力が分散せずに前記ハンドル部材へ集中させられるので、回動し易い。（例えば、特許文献１参照。）。
【特許文献１】登録実用新案第３００１９７４号公報（第４，５頁、図１）
【発明の開示】
【発明が解決しようとする課題】
【０００７】
しかしながら、上述した従来の高圧ホース接続具や特許文献１の高圧ホース接続具は、各部材が全て金属にて形成されているので、例えば、燃料ガスボンベ内の燃料ガスが空になり、高圧ホースを新しい燃料ガスボンベに接続しなおして燃料ガスボンベを交換する際等に、前記高圧ホース接続具と前記燃料ガスボンベとが衝突し、この衝突による衝突音が騒音になってしまう問題が考えられる。特に前記高圧ホース接続具と空の燃料ガスボンベとが衝突すると、前記燃料ガスボンベ内で衝突音が共鳴し騒音が激しくなる。
【０００８】
本発明は、このような点に鑑みなされたもので、燃料ガスボンベとの衝突音を抑制できる高圧ホース接続具を提供する。
【課題を解決するための手段】
【０００９】
請求項１記載の高圧ホース接続具は、高圧ホースの端部に設けられた接続口体を燃料ガスボンベの燃料ガス導出口に接続する高圧ホース接続具であって、前記高圧ホースの接続口体の外周に回動自在に取付けられて前記燃料ガスボンベのガス導出口に設けられた雌ねじ部に螺着可能な螺着部材と、この螺着部材と一体的に回動可能に取付けられたハンドル部材とを具備し、前記螺着部材は、前記燃料ガスボンベの雌ねじ部に螺着される雄ねじ部と、前記ハンドル部材が嵌着される嵌着部とを有し、前記ハンドル部材は、ゴムによって形成されたものである。
【００１０】
請求項２記載の高圧ホース接続具は、請求項１に記載された高圧ホース接続具において、螺着部材の嵌着部は、断面の外周が略六角形状に形成されたものである。
【発明の効果】
【００１１】
請求項１記載の発明によれば、燃料ガスボンベと最も衝突し易いハンドル部材がゴムによって形成されたことにより、ゴムの消音作用によって高圧ホース接続具と燃料ガスボンベとの衝突による衝突音を抑制できる。
【００１２】
また、前記ハンドル部材を回動させる際に、前記ハンドル部材がゴムによって形成されているので、手が滑り難く、確実に回動でき、前記高圧ホース接続具の操作性が向上できる。
【００１３】
請求項２記載の発明によれば、嵌着部の断面の外周が略六角形状に形成されたことにより、螺着部材からハンドル部材が外れ、ハンドル部材が嵌着されていない状態であっても、一般的な工具を使用して前記螺着部材を回動でき、高圧ホースと燃料ガスボンベとを着脱できる。
【発明を実施するための最良の形態】
【００１４】
以下、本発明の第１の実施の形態の構成について図１ないし図３を参照しながら詳細に説明する。
【００１５】
図２に示されるように、高圧ホース接続具１は、高圧ホース２の端部に設けられた接続口体３を、例えば液化石油ガスや天然ガス等が充填された燃料ガスボンベ４の燃料ガス導出口５に接続するために使用される。そして、燃料ガスボンベ４に高圧ホース２が接続され、燃料ガスボンベ４のバルブ６を操作することによって燃料ガスボンベ４から例えば集合管や圧力調整器、供給管等を介して家庭用ガス燃焼機器等へ燃料ガスが供給される。
【００１６】
図１に示されるように、高圧ホース接続具１は、高圧ホース２の接続口体３に回動自在に取付けられた螺着部材７と、この螺着部材７に一体的に回動可能に取付けられたハンドル部材８とを備える。
【００１７】
螺着部材７は、筒状の形状であり、高圧ホース２の端部に設けられた接続口体３の外周に回動自在に取付けられる。
【００１８】
また、螺着部材７には、燃料ガスボンベ４の図示しない雌ねじ部に螺着される雄ねじ部９と、ハンドル部材８が嵌着される嵌着部10とが螺着部材本体11に一体的に設けられている。
【００１９】
そして、燃料ガスボンベ４の燃料ガス導出口５に設けられた図示しない雌ねじ部に螺着部材７の雄ねじ部９を螺着することにより、高圧ホース２が燃料ガスボンベ４に接続される。
【００２０】
ハンドル部材８は、螺着部材７と一体的に回動可能に嵌着されているので、ハンドル部材８とともに螺着部材７を回動させることにより、高圧ホース接続具１の雄ねじ部９と燃料ガスボンベの図示しない雌ねじ部とを着脱できる。
【００２１】
ここで、一般的に燃料ガスボンベ４の燃料ガス導出口５に設けられた図示しない雌ねじ部には、螺着溝がねじ状に形成されているので、螺着部材７の雄ねじ部９は、逆ねじ状に形成され、図３に示されるような螺着部材７の端部の雄ねじ部９を螺着部材７の螺着方向に向けた状態で、螺着部材７を反時計回りに回動させると雄ねじ部９が図示しない雌ねじ部に螺着し、時計回りに螺着部材７を回動させると雄ねじ部９が図示しない雌ねじ部から外れる。
【００２２】
螺着部材７の嵌着部10の断面の外周は、ハンドル部材８が嵌着されていなくてもレンチやスパナ等の一般的な工具を使用して螺着部材７の着脱ができるように略六角形状に形成されている。
【００２３】
また、嵌着部10の外周面には、溝12が形成され、溝12が形成されることにより、螺着部材７とハンドル部材８とを嵌着させた際に嵌着部10の溝12にハンドル部材８が係合されて、螺着部材７からハンドル部材８が外れ難くできるので好ましい。
【００２４】
ハンドル部材８は、ゴムによって形成されており、断面の外周の形状が略円形状に形成され、内周の形状は略六角形状に形成されている。
【００２５】
また、ハンドル部材８の内周は螺着部材７の嵌着部10の外周よりやや小さく形成されている。このように、ハンドル部材８の内周が螺着部材７の嵌着部10の外周よりやや小さく構成されることにより、ゴム製のハンドル部材８は弾性があり、ハンドル部材８を伸張させた状態で螺着部材７の嵌着部10に嵌着し、ハンドル部材８の弾性力によって螺着部材７の嵌着部10からハンドル部材８が外れにくくできるので好ましいが、この構成には限定されず、例えばハンドル部材８の内周と螺着部材７の嵌着部10の外周とが略同じ構成にしてもよい。
【００２６】
さらに、ハンドル部材８の外周部には、複数の突起部13が形成され、この複数の突起部13が形成されたことにより、ハンドル部材８を回動させる際に、ハンドル部材８が握り易く、螺着部材７およびハンドル部材８を回動させ易くできるので好ましいが、このような構成には限定されず、突起部13を形成しない構成としてもよい。
【００２７】
なお、この実施の形態では、ハンドル部材８の断面の外周の形状が略円形状に形成されているが、ハンドル部材８は、断面の外周の形状が略円形状のものに限定されず、例えば、断面の外周が矩形状や三角形状のもの等でもよい。
【００２８】
次に、上記第１の実施の形態の作用および効果を説明する。
【００２９】
高圧ホース２を新しい燃料ガスボンベ４に接続しなおして燃料ガスボンベ４を交換する際には、まず、燃料ガスボンベ４のバルブ６を締めて燃料ガスボンベ内の残留ガスの噴出を防止する。
【００３０】
高圧ホース接続具１のハンドル部材８を時計回りに回動させて螺着部材７の雄ねじ部９と燃料ガスボンベ４の燃料ガス導出口５の図示しない雌ねじ部との螺着を解除する。
【００３１】
燃料ガスボンベ４の燃料ガス導出口５に挿入された高圧ホース２の接続口体３を抜き取り、新しい燃料ガスボンベ４の燃料ガス導出口５に高圧ホース２の接続口体３を挿入する。
【００３２】
高圧ホース接続具１のハンドル部材８を反時計回りに回動させて、螺着部材７の雄ねじ部９を燃料ガスボンベ４の燃料ガス導出口５の図示しない雌ねじ部に螺着させる。
【００３３】
最後に、燃料ガスボンベ４のバルブ６を緩めて、燃料ガスボンベ４から例えば集合管や圧力調整器、供給管等を介して家庭用ガス燃焼機器へ燃料ガスを供給する。
【００３４】
このような燃料ガスボンベ４の交換作業では、高圧ホース２は筒状のゴムが積層されて形成された屈曲性を有するものであるので、燃料ガスボンベ４から高圧ホース接続具１を外した際に、高圧ホース接続具１が燃料ガスボンベ４に衝突することが多いが、燃料ガスボンベ４に最も衝突し易いハンドル部材８がゴムによって形成されていることにより、ゴムの消音作用によって衝突音を抑制できる。
【００３５】
また、燃料ガスボンベ４とハンドル部材８との衝突による燃料ガスボンベ４およびハンドル部材８の損傷も防止できる。
【００３６】
さらに、ハンドル部材８がゴムで形成されていると、ハンドル部材８を回動させる際に手が滑り難く、ハンドル部材８を確実に回動できるので、高圧ホース接続具１の操作性を向上できる。
【００３７】
高圧ホース接続具１の螺着部材７の嵌着部10の断面の外周が略六角形状に形成されることにより、ハンドル部材８が例えば破損等により螺着部材７から外れ、ハンドル部材８が嵌着されていない状態であっても、レンチやスパナ等の一般的な工具を使用して螺着部材７を回動でき、高圧ホース２と燃料ガスボンベ４とを着脱できる。
【図面の簡単な説明】
【００３８】
【図１】本発明に係る高圧ホース接続具の一実施の形態を示す一部を破断した正面図である。
【図２】同上高圧ホースと燃料ガスボンベとの接続状態を示す斜視図である。
【図３】同上高圧ホース接続具を示す平面図である。
【符号の説明】
【００３９】
１  高圧ホース接続具
７  螺着部材
８  ハンドル部材
９  雄ねじ部
10  嵌着部
【図１】
2009074612.tif 000003
【図２】
2009074612.tif 000004
【図３】
2009074612.tif 000005